(57)【要約】【課題】先端部本体に対して先端キャップを着脱自在に取り付けることができ、しかも先端硬質部長が長くならず患者に与える苦痛を小さくすることができる側方視型内視鏡の先端部を提供すること。【解決手段】先端部本体１の平面部１ａの裏側に位置する部分に凹状段差８を形成すると共に、先端キャップ５の開口窓５ａが形成された側面部分の裏側に位置する部分に、先端部本体１の凹状段差８と係合する突起９を、外方に弾性変形させることにより凹状段差８との係合が外れるように内方に向けて突出形成した。【選択図】      図１
2004181030.tif 000002
【特許請求の範囲】
【請求項１】
丸棒の一側面を後端部付近を除いて平面状に削り取った形状に形成されてその平面部に観察窓等が配置された先端部本体と、上記先端部本体に着脱自在に被せられるキャップ状に形成されて上記平面部側の側面部分に開口窓が形成されたプラスチック製の先端キャップとを有する側方視型内視鏡の先端部において、
上記先端部本体の上記平面部の裏側に位置する部分に凹状段差を形成すると共に、上記先端キャップの上記開口窓が形成された側面部分の裏側に位置する部分に、上記先端部本体の凹状段差と係合する突起を、外方に弾性変形させることにより上記凹状段差との係合が外れるように内方に向けて突出形成したことを特徴とする側方視型内視鏡の先端部。
【請求項２】
上記凹状段差が、前縁側は上記先端部本体の外壁面から略垂直方向に内方に凹んで形成され、後縁側は上記先端部本体の外壁面に対して傾斜した斜面状に形成されている請求項１記載の側方視型内視鏡の先端部。
【請求項３】
上記突起が、前縁側と左右両側縁側において上記先端キャップと切り離されていて、後縁側においてのみ上記先端キャップとつながっている請求項１又は２記載の側方視型内視鏡の先端部。
【発明の詳細な説明】
【０００１】
【発明の属する技術分野】
この発明は、側方視型内視鏡の先端部に関する。
【０００２】
【従来の技術】
図７は側方視型内視鏡の先端部の側面断面の略示図であり、先端部本体１は、丸棒の一側面を後端部付近を除いて平面状に削り取った形状に形成されて、その平面部１ａに観察窓２と照明窓３が配置されている。
【０００３】
そして、先端部本体１の平面部１ａに面する側面部分に開口窓５ａが形成されたプラスチック製の先端キャップ５が先端部本体１に着脱自在に被せられていて、先端側に設けられた固定ビス６又は後端側に形成された環状の凹凸係合部７のいずれか一方により、先端キャップ５が先端部本体１から脱落しないように係止されている（例えば特許文献１、図２及び図４等）。
【０００４】
【特許文献１】
特開平１０−１５１１０８号公報
【０００５】
【発明が解決しようとする課題】
しかし、先端キャップ５を先端部分に設けられた固定ビス６で先端部本体１に係止する構成を採るとそのために先端側の部分が長くなり、後端部分に形成された環状の凹凸係合部７で先端キャップ５を先端部本体１に係止する構成を採るとそのために後端側の部分が長くなって、何れの場合もいわゆる先端硬質部長が長くなって患者に苦痛を与える要因になる。かと言って、先端キャップ５を先端部本体１に接着してしまうと、ちょっとした修理や整備等を行うことさえ困難になってしまうので好ましくない。
【０００６】
そこで本発明は、先端部本体に対して先端キャップを着脱自在に取り付けることができ、しかも先端硬質部長が長くならず患者に与える苦痛を小さくすることができる側方視型内視鏡の先端部を提供することを目的とする。
【０００７】
【課題を解決するための手段】
上記の目的を達成するため、本発明の側方視型内視鏡の先端部は、丸棒の一側面を後端部付近を除いて平面状に削り取った形状に形成されてその平面部に観察窓等が配置された先端部本体と、先端部本体に着脱自在に被せられるキャップ状に形成されて平面部側の側面部分に開口窓が形成されたプラスチック製の先端キャップとを有する側方視型内視鏡の先端部において、先端部本体の平面部の裏側に位置する部分に凹状段差を形成すると共に、先端キャップの開口窓が形成された側面部分の裏側に位置する部分に、先端部本体の凹状段差と係合する突起を、外方に弾性変形させることにより凹状段差との係合が外れるように内方に向けて突出形成したものである。
【０００８】
なお、凹状段差が、前縁側は先端部本体の外壁面から略垂直方向に内方に凹んで形成され、後縁側は先端部本体の外壁面に対して傾斜した斜面状に形成されていてもよい。
【０００９】
また、突起が、前縁側と左右両側縁側において先端キャップと切り離されていて、後縁側においてのみ先端キャップとつながっていてもよい。
【００１０】
【発明の実施の形態】
図面を参照して本発明の実施の形態を説明する。
図３は、側方視型内視鏡の先端部の先端部本体１に先端キャップ５が取り付けられる前の状態を示している。
【００１１】
先端部本体１は、内視鏡の可撓性挿入管１０の先端部分に連結されており、例えばステンレス鋼製の丸棒の素材の一側面が後端部付近を除いて平面状に削り取られた形状に形成されている。
【００１２】
そして、その平面部１ａに観察窓２と照明窓３が前後に並んで配置され、それと並列に形成された処置具突出溝１ｂ内には、図示されていない処置具挿通チャンネルを通って突出される処置具の突出方向を遠隔操作によって調整するための処置具起上片４が配置されている。
【００１３】
先端キャップ５は、ある程度の弾力性のあるプラスチック材により先端部本体１に着脱自在に被嵌されるキャップ状に形成されていて、観察窓２と照明窓３及び処置具突出溝１ｂに面する平面側の側面部分は開口窓５ａになっている。
【００１４】
図４は、可撓性挿入管１０の先端に連結された先端部本体１を側面から見た状態を示しており、平面部１ａに対して裏側になる部分に凹状段差８が形成されている。
【００１５】
この凹状段差８は、前縁８ａ側が先端部本体１の外壁面を略垂直方向に内方に切り削いだ形状に形成され、後縁８ｂ側は先端部本体１の外壁面に対して傾斜した斜面状をなしており、側方から見てＶ溝状（正確には、「Ｖ」の字の半分の溝状）の形状に形成されている。
【００１６】
これに対して、先端キャップ５の側面断面図である図５に示されるように、先端キャップ５の開口窓５ａが形成された側面部分の裏側に位置する部分には、先端部本体１の凹状段差８と係合する係合突起９が内方に向けて突出形成されている。
【００１７】
この係合突起９は、側方から見ると先端部本体１の凹状段差８にほぼピッタリと係合する三角形状（正確には、前端壁が軸線方向に対して垂直な直角三角形状）の断面形状に形成されている。
【００１８】
ただし、係合突起９は、底面図である図６にも示されるように、前縁側から左右両側縁側に連続して形成された切り欠き溝９ａにより先端キャップ５と切り離されて、後縁側においてのみ先端キャップ５とつながっており、後縁部分を支点にして外方に弾性変形させることにより凹状段差８との係合を外せるようになっている。
【００１９】
このような構成により、図２に示されるように、係合突起９を外方に弾性変形させた状態で先端キャップ５を先端部本体１に被せて行く。そして、図１に示されるように、先端キャップ５が先端部本体１に対して正しく被嵌された状態になると、係合突起９が凹状段差８に面する位置にさしかかって弾性変形前の形状に戻ることにより凹状段差８に係合して、先端キャップ５が先端部本体１から外れない状態に係止される。
【００２０】
そして、先端部本体１から先端キャップ５を取り外す必要が生じた際には、切り欠き溝９ａに細いピン等を差し込んで係合突起９を外方に弾性変形させることにより凹状段差８との係合を解いて、図２に示されるように先端キャップ５を先端部本体１から取り外すことができる。
【００２１】
このように、本発明においては、互いに係脱自在な凹状段差８と係合突起９を、観察窓２や照明窓３等に対して裏側に位置する部分に配置したことにより、凹状段差８と係合突起９との係脱のための機構によって先端硬質部長を長くしなくて済むので、内視鏡を挿入される患者に与える負担の小さい優れた挿入性を得ることができる。
【００２２】
【発明の効果】
本発明によれば、先端部本体の平面部の裏側に位置する部分に凹状段差を形成すると共に、先端キャップの開口窓が形成された側面部分の裏側に位置する部分に先端部本体の凹状段差と係脱させることができる突起を形成したことにより、先端部本体に対して先端キャップを着脱自在に取り付けることができ、しかも先端硬質部長が長くならず患者に与える苦痛を小さくすることができる。
【図面の簡単な説明】
【図１】本発明の実施例の側方視型内視鏡の先端部本体に先端キャップが取り付けられた状態の側面断面図である。
【図２】本発明の実施例の側方視型内視鏡の先端部本体に先端キャップが取り付けられる直前の状態の側面断面図である。
【図３】本発明の実施例の側方視型内視鏡の先端部本体から先端キャップが取り外された状態の斜視図である。
【図４】本発明の実施例の側方視型内視鏡の先端キャップが取り外された状態の挿入部先端の側面図である。
【図５】本発明の実施例の側方視型内視鏡の先端キャップの側面断面図である。
【図６】本発明の実施例の側方視型内視鏡の先端キャップの底面図である。
【図７】従来の側方視型内視鏡の先端部本体に先端キャップが取り付けられた状態の側面断面図である。
【符号の説明】
１  先端部本体
１ａ  平面部
２  観察窓
３  照明窓
５  先端キャップ
５ａ  開口窓
８  凹状段差
９  係合突起
９ａ  切り欠き溝
【図１】
2004181030.tif 000003
【図２】
2004181030.tif 000004
【図３】
2004181030.tif 000005
【図４】
2004181030.tif 000006
【図５】
2004181030.tif 000007
【図６】
2004181030.tif 000008
【図７】
2004181030.tif 000009